(57)【要約】【課題】緊急時に患者などの情報を取得する方法として、ペーパーメディアを用いる方法や金属タグプレートを用いる方法があるが、実用性に乏しかった。そこで、ＲＦタグを用いる患者情報の取得方法が提案されているが、医療機器の誤作動が生じてしまう課題があった。【解決手段】光により送信を行なう光タグを備えた情報標識を提供する。電波ではなく光空間通信による情報の送信を行う光タグを利用することにより、医療機器に深刻な影響を与えることなく、かつ、情報の保全性などに優れた標識を提供することができる。また、光空間通信を行うことにより情報が漏洩してしまうことを防止することも可能となる。【選択図】図１
2008099915.tif 000002
【特許請求の範囲】
【請求項１】
光により送信を行なう光タグを備えた患者情報標識。
【請求項２】
前記光タグは光により受信を行なう光タグである請求項１に記載の患者情報標識。
【請求項３】
請求項１又は２に記載の患者情報標識を備えた人が携帯可能な物。
【請求項４】
請求項１又は２に記載の患者情報標識を備えた腕輪。
【請求項５】
請求項１又は２に記載の患者情報標識を備えたネックレス。
【請求項６】
光により送信を行なう光タグを備えた医療器具情報標識。
【請求項７】
前記光タグは光により受信を行なう光タグである請求項６に記載の医療器具情報標識。
【請求項８】
請求項６又は７に記載の医療器具情報標識を備えた医薬品用容器。
【請求項９】
請求項６又は７に記載の医療器具情報標識を備えた医療用具。
【発明の詳細な説明】
【技術分野】
【０００１】
本発明は、光タグを利用した医療関連標識に関する。
【背景技術】
【０００２】
従来、急患などの緊急時における患者の情報を入手する方法としては、例えば図５に示すような方法が採られていた。図６（ａ）に示すように患者本人に意識がある場合には、問診にて患者の血液型やアレルギー性疾患などの各種の情報を聞き出す方法が採られる。しかしながら、患者本人に意識がない場合には、医療情報を本人から聞き出すことができない。そこで、一般的には、図６（ｂ）に示すように、メディカルカード（ペーパーメディア）に患者が自身の情報を事前に記入したり、図６（ｃ）に示すように、金属プレートなどに患者の情報を事前に刻み込んだタグプレートなどが用いられており、これにより、患者についての情報を取得することが行われている。
【０００３】
しかしながら、ペーパーメディアによる場合には情報の保全性に乏しく、さらには情報が改ざんされてしまう可能性が潜んでいる。また、金属プレートの場合には、記入できる情報量が制限されてしまう。
【０００４】
そこで、かかる問題を解決するために、特許文献１に記載の発明のように、電波・電磁波を用いたＲＦＩＤ（Radio Frequency Identification）を利用して、入力できる情報を増やしたり、情報の保全性を向上させる方法が提案されている。
【特許文献１】特開２００３−６７４８６号公報
【発明の開示】
【発明が解決しようとする課題】
【０００５】
しかしながら、特許文献１に記載の発明のようにＲＦタグを用いて患者の情報を取得する場合においては、ＲＦタグとリーダーとが通信を行う際に用いる電波によって、医療機器に誤作動が生じてしまう可能性があり、実用性に乏しかった。
【０００６】
そこで、本発明は、かかる課題に鑑みてなされたものであり、医療機器に対して影響を与えることなく、情報を取得することが可能な情報標識等を提供することを目的とする。
【課題を解決するための手段】
【０００７】
そこで、本発明においては、かかる課題を解決するために、光により送信を行なう光タグを備えた患者情報標識を提供する。電波ではなく光空間通信による情報の送信を行う光タグを利用することにより、医療機器に深刻な影響を与えることなく、かつ、情報の保全性などに優れた標識を提供することができる。
【０００８】
光タグは、光により受信を行なう光タグであってもよい。リーダからの光信号の受信をトリガーとして光による送信を行うことで、光タグが送受信の際に電波を送出せずに通信を行うことが可能となるため、医療機器への影響を抑えることができる。なお、患者情報標識は、人が携帯可能な物に備えられることができ、例えば腕輪やネックレスなどに備えられる。
【０００９】
また、他の態様としては、光により送信を行なう光タグを備えた医療器具情報標識を提供する。これにより、注射器や執刀具などの医療器具がどの患者に対して使用すべき器具であるかといった情報を、医療機器に影響を与えることなく医師に対して明確に伝達することが可能となる。医療機器情報標識は、例えば医薬品用容器に備えられていたり、医療用具に備えられていたりする。
【発明の効果】
【００１０】
本発明においては、医療現場にて必要となる情報を光タグが備えられた情報標識を通じて取得することにより、医療機器に影響を与えることなく、患者等についての情報を正確かつ豊富に取得することが可能となる。また、光タグを用いて通信を行うため、スキミングなどの情報漏洩を防止することも可能となる。
【発明を実施するための最良の形態】
【００１１】
以下に、各発明の実施の形態を説明する。なお、本発明はこれら実施の形態に何ら限定されるものではなく、その要旨を逸脱しない範囲において、種々なる態様で実施し得る。
【００１２】
なお、以下の実施形態と請求項の関係は次の通りである。
実施形態１は、主に請求項１、２、３、４、５などについて説明する。
実施形態２は、主に請求項６、７、８、９などについて説明する。
【００１３】
<<実施形態１>>
<実施形態１の概要>
本実施形態は、患者の情報を光空間通信を用いて行う光タグを備えた患者情報標識に関するものである。図１は、本実施形態の概要の一例を示す図である。利用者（患者）は、光タグに予め情報を記憶・保持しておき、これを患者情報標識として日常的に装着したり、持ち歩いている。そして、緊急時には、救急車両や病院などにおいて、患者情報標識に備えられた光タグから光空間通信によってその患者の情報を取得することによって、医療機器に影響を与えることなく意識がなくなった患者からの情報を取得することができる。
【００１４】
<実施形態１の構成>
（患者情報標識）
患者情報標識とは、光により送信を行なう光タグを備えた標識である。
【００１５】
「標識」には、例えばネームタグ、ネームプレートのほか利用者を特定するために用いられることができるマーク、目印などが含まれる。また、標識には文字、図形、記号やこれらに色彩を付したものなどが記載されていてもよい。また、光タグそのものが標識となっていてもよい。患者情報標識では、自身に備えられた光タグに患者に関する情報が保持されている。
【００１６】
（光タグ）
「光タグ」とは、光により送信を行うタグのことである。光による送信には、主として可視光による送信が挙げられるが、この他、赤外線、紫外線などによる送信を行ってもよい。
【００１７】
図２は、光タグ２１０の構成及び光タグから情報を読取る光読取り装置２２０の構成の一例を示す図である。図２に示すように、光タグ２１０は、電池２１１、メモリ２１２、ＣＰＵ２１３、受光素子２１４、受信回路２１５、送信回路２１６，発光素子２１７などから構成される。なお、受光素子２１４と発光素子２１７については、必ずしも光タグ内の構成に含まれてなくてもよく、外部の素子を用いるなどしてもよい。光読取り装置２２０は制御部２２１や、送信回路２２２、発光素子２２３、受光素子２２４、受信回路２２５などを有している。また、光読取り装置２２０は、外部のコンピュータ装置などに情報を送信することもできる。
【００１８】
光タグ２１０の動作としては、例えば光読取り装置２２０からの可視光による光信号をフォトダイオードなどの受光素子２１４にて受信する。そして、これを受信回路２１５を通じて取得したＣＰＵ２１３が、メモリ２１２に保持されている情報を取得する。そして、取得した情報を光信号で送信するために送信回路２１６に対して情報を送信する。送信回路２１６は、ＬＥＤなどの発光素子２１７による可視光通信によって光読取り装置２２０に対してメモリから取得した情報を送信する。その後、光読取り装置２２０においては、送信された情報を例えば図外のコンピュータ装置などに対して出力する。
【００１９】
本実施形態における光タグ２１０のメモリ２１２には、患者についての情報である患者情報が保持されている。「患者情報」とは、例えば従来のメディカルカードに記載されているような、緊急連絡先、かかりつけの病院の連絡先、持病の有無、血液型、通常時の血圧、服用している薬、手術歴、アレルギーの有無などの情報のことである。さらには、患者の国籍、使用可能言語などの情報が含まれていてもよいし、あるいは医療履歴、保険証番号、健康診断結果などの情報が含まれていてもよい。このように、光タグを利用することで、医療機関などにおいて意識がなくなった患者の情報を取得する場合に、医療機器に悪影響を与えることなく患者の情報を医師等に提供することができる。さらには、光タグを利用することで、患者についての情報をより多く保持することができるとともに、データの保全性が高めることができる。また、可視光通信を用いることで、通信対象を視認して特定することができるため、患者情報などのプライバシーに関する情報の漏洩可能性を低減させることができる。
【００２０】
なお、図２の例においては、光読取り装置２２０からの光信号をトリガーとして、光タグ２１０から光信号を送信する例について説明した。換言すると、光により受信を行うことで、光タグ２１０から光により送信を行う例を説明した。このように、光タグが光読取り装置からなどの外部からの光信号を受信した場合に患者情報を送信することで、前記説明した情報漏洩の可能性をより一層低減させることができる。
【００２１】
なお、光タグ２１０のメモリ２１２に患者情報を記録する場合には、既に説明した可視光通信によって情報を記録してもよいし、あるいは、コネクタなどを介して有線ケーブルを介して情報を記録したり、無線アンテナなどを介して情報を記録してもよい。
【００２２】
（具体例）
以上で説明した光タグを備えた患者情報標識は、例えば人が携帯可能な物に備えられる。「人が携帯可能な物」とは、例えば装飾品、服飾品などの他に、鞄などの携行品などが挙げられる。具体例としては、患者情報標識を備えた腕輪や、ネックレスが挙げられる。これらは、識別標識が慣用的に付される物であるため、緊急時においても医者等が当該患者情報標識を容易に見つけ出せるという利点がある。なお、患者情報標識が例えばキーホルダのような態様で鞄などに備えられることもできる。
【００２３】
なお、患者情報標識には、例えば、図３に示すように、「当該標識には光タグが備えられているので、緊急時には光空間通信によって光タグから患者の情報を読み出して下さい」といった趣旨の光タグ喚起情報が表記されていることが望ましい。この光タグ喚起情報は、緊急時の個人情報を開示するマークや文字表記とともに併記されている場合には、緊急時の患者情報の存在を第三者に対して明確に知覚させることができる。
【００２４】
<実施形態１の効果>
光タグを備えた患者情報標識によれば、光空間通信を用いて情報のやり取りを行うことができるため、医療機器などに深刻な影響を与えることなく患者の情報を取得することができる。また、光タグを利用することで、情報の保全性を高めることができるとともに、情報を光空間通信を介して送信することにより、情報漏洩の可能性を低減させることができる。また、例えば、緊急車両に光読取り機を設置することで、緊急車両での応急的な処置を施すとともに搬送先の病院に患者の情報を明確に伝えることができる。また、光タグに患者情報が保持されているため、ネットワークなどに接続することなくスタンドアロンで患者情報を取得することができる。
【００２５】
<<実施形態２>>
実施形態２は、光タグを備えた医療器具情報標識に関するものである。医療機関においては、どの患者に対する医療器具であるか、といった情報が各医療器具毎に付されている（主として、紙に対して手書きで記入がなされたりしている）。しかしながら、医療行為の現場においては、別の患者の医療器具を使用するなどの過誤治療がなされてしまう場合がある。そこで、光タグを備える医療器具情報標識を提供することで、かような過誤治療を防止することができる。医療器具情報とは、医薬を入れる医薬用容器や、注射器や執刀具やペースメーカー等の医療用具などについての情報が挙げられる。
【００２６】
図４は、医療器具情報標識と、これが備えられた医薬用容器についての一例を示す図である。図４に示すように、例えば医療器具情報標識それ自体についても、どの患者用の器具であるか、という情報が表記されている場合には、光タグから読取った情報と、表記されている情報とを用いることで二重チェックが可能となり、過誤治療をより一層防止することができる。特に、光タグを用いた光空間通信によれば、通信時には光源が生成されていることになるため、薄暗い部屋などにおける診療・検査・手術などがなされる場合には、医療用容器や医療用具などのラベル文字をも視認しつつ、光タグの情報を読み出すことができるといった相乗効果を奏することができる。
【００２７】
図５は、医療器具情報標識と、これが備えられた医療用具についての一例を示す図である。なお、図５では光タグの図示を省略している。図５（ａ）は、医療用具としての注射器５０１に光タグを有する医療器具情報標識５１１が備えられた例を示している。図５（ａ）の場合では、例えばどの患者に対して使用する医療用具であるかといった情報を医療器具情報標識５１１に備えられた光タグが保持している。図５（ｂ）は、医療用具としての心臓ペースメーカー５０２に光タグを有する医療器具情報標識５１２が備えられた例を示している。図５（ｂ）では、例えばその心臓ペースメーカの使用者、製造会社、シリアル番号、仕様等についての情報を医療器具情報標識５１２に備えられた光タグが保持している。図５（ｃ）は、医療用具としての入れ歯５０３に光タグを有する医療器具情報標識５１３が備えられた例を示している。図５（ｃ）では、例えばその入れ歯の使用者、製造会社、歯医者、入れ歯の装着時期等の情報を医療器具情報標識５１３に備えられた光タグが保持している。
【００２８】
なお、図示した他にも、例えば人工透析、シリコン豊胸、コンタクトレンズ、血液成分センサーなど光の波長が透過可能な用具に光タグが備えられ、これに各情報が記録保持されている場合であっても、上記で説明したものと同様に医療器具に影響を与えることなく各種の情報を取得することが可能となる。
【図面の簡単な説明】
【００２９】
【図１】実施形態１の概要を説明する図
【図２】光タグを用いた光空間システムの一例を示す図
【図３】患者情報標識の一例を示す図
【図４】医療器具情報標識が備えれた医薬用容器の一例を示す図
【図５】医療器具情報標識が備えられた医療用具の一例を示す図
【図６】従来の患者情報の取得方法を示す図
【符号の説明】
【００３０】
２１０    光タグ
２２０    光読取り装置
３００    患者情報識別標識
【図１】
2008099915.tif 000003
【図２】
2008099915.tif 000004
【図３】
2008099915.tif 000005
【図４】
2008099915.tif 000006
【図５】
2008099915.tif 000007
【図６】
2008099915.tif 000008